(57)【要約】【課題】  特定音域の音波に良好に共鳴するダクト体を備えたスピーカボックスを容易に得ることができるスピーカボックス構造を備えた遊技機を提供する。【解決手段】  スピーカボックス７０の前側にスピーカ９４が装着される。スピーカボックス９４に対し、同スピーカボックス９４内に一端部が連通し他端が遊技機の前側に開口する空気通路８０を構成するダクト体８１が設けられている。【選択図】        図１
2005218853.tif 000002
【特許請求の範囲】
【請求項１】
スピーカボックスの前側にスピーカが装着され、前記スピーカボックスに対し、同スピーカボックス内に一端部が連通し他端が遊技機の前側に開口する空気通路を構成するダクト体が設けられたことを特徴とする遊技機。
【発明の詳細な説明】
【技術分野】
【０００１】
この発明は、パチンコ機等の弾球遊技機やスロットマシン等の遊技機に関する。
【背景技術】
【０００２】
従来、この種の遊技機において、スピーカボックスの前側にスピーカが装着され、そのスピーカボックスに対し、同スピーカボックス内に一端部が連通し他端が遊技機の前側に向けて開口する空気通路（バスレフ通路）を構成するダクト体（共鳴体）が設けられた構造のものが知られている（例えば、特許文献１参照）。
すなわち、特許文献１に開示されたものにおいては、外枠の前側に開閉可能に組み付けられた中枠（本体枠に相当する）の下部に延出板部が下方に向けて延出形成されている。
延出板部には、スピーカ用音放出口とバスレフ用音放出口が形成され、延出板部の裏面（後面）には、エンクロージャ（スピーカボックスに相当する）を構成する区画壁が設けられている。
そして、延出板部の裏面には、スピーカ用音放出口に位置合わせされた状態でスピーカユニット（スピーカに相当する）が装着される。
一方、バスレフ用音放出口に連なるバスレフダクト（ダクト体に相当する）は、区画壁により延長屈折した迷路状のダクト構造をなすように形成されている。
【特許文献１】特開２００３ー３０８７４４号公報（第４−９頁、図２）
【発明の開示】
【発明が解決しようとする課題】
【０００３】
ところで、前記したような構造をもつバスレフ型のスピーカ装置においては、そのスピーカ作動時（振動板の振動時）に、スピーカボックス内に発生する逆位相の音波によってバスレフダクトが共鳴することで、特定音域（例えば、低音域）の音が増強されるようになっている。
そして、バスレフダクトは、スピーカボックスの容積、バスレフダクトの空気通路の横断面積及び長さが、周知の計算式で求められた数値に対応して設定される。
しかしながら、バスレフダクトの空気通路の横断面積及び長さが周知の計算式で求められた数値に対応して形成されているにもかかわらず、特定音域の音が増強されない場合が多々ある。これは、スピーカボックス及びバスレフダクトの形状、材質、強度、肉厚等の相異に起因する。
このため、バスレフダクトによって特定音域の音を良好に増強させるためには、数多くの試作品を製作して試験を繰り返さなければならない。
特許文献１に開示された発明においては、空気通路の横断面積及び長さが異なるバスレフダクトを一体に有するスピーカボックス（区画壁）を数多く製作し、これらを延出板部の裏面に組み付けて試験を繰り返さなければならず、多くの手間や時間が必要となる、という問題点があった。
【０００４】
この発明の目的は、前記問題点に鑑み、特定音域の音波に良好に共鳴するダクト体を備えたスピーカボックスを容易に得ることができるスピーカボックス構造を備えた遊技機を提供することである。
【課題を解決するための手段】
【０００５】
前記目的を達成するために、請求項１の発明に係る遊技機は、
「スピーカボックスの前側にスピーカが装着され、前記スピーカボックスに対し、同スピーカボックス内の音響室に一端部が連通し他端が遊技機の前側に向けて開口する空気通路を構成するダクト体が設けられた遊技機であって、
前記スピーカボックスの周壁の一壁面にはダクト装着部が形成される一方、
前記ダクト体は、前記スピーカボックスと別体に形成されるとともに、前記ダクト装着部に着脱交換可能に装着される構成にしてあることを特徴とする遊技機。」
を要旨とするものである。
【０００６】
前記構成において、空気通路の内寸（横断面積、長さ）、材質（例えば、硬度が異なる合成樹脂材、合成樹脂材以外の金属材、セラミック材等の材質）、肉厚等が多様に異なる多数のダクト体を試作する。
そして、製品化された一つのスピーカボックスに対し、そのダクト装着部を共用してそのダクト装着部に前記多数の試作ダクト体を着脱交換可能に装着した状態で、その試作ダクト体の共鳴試験を容易に行うことができる。これによって、特定音域の音波に良好に共鳴するダクト体を容易に得ることができる。
すなわち、ダクト体を一体に備えたスピーカボックスを数多く製作して試験を繰り返す場合と比べ、製品化された一つのスピーカボックスに対し、前記したように試作ダクトのみを多数製作して、共鳴試験を繰り返すことによって、所望とする特性を有するダクト体を容易に得ることがができる。このため、試作コストを大幅に低減することができる。
そして、前記試作試験に基づいて、特定音域の音波に良好に共鳴するダクト体を製作（量産）し、そのダクト体をスピーカボックスのダクト装着部に装着することによって、特定音域の音を良好に増強させることができ、音による遊技演出を向上させることができる。
【０００７】
請求項２の発明に係る遊技機は、
「請求項１に記載の遊技機であって、
スピーカボックスと別体でかつ特性が異なる複数のダクト体が準備され、
前記複数のダクト体のうち、所望とする特性を有するダクト体が選択され、その選択されたダクト体が、スピーカボックスの周壁の一壁面に形成されたダクト装着部に着脱交換可能に装着される構成にしてあることを特徴とする遊技機。」
を要旨とするものである。
【０００８】
前記構成において、所望とする特性を有するダクト体を選択して、そのダクト体をスピーカボックスのダクト装着部に装着することによって、所望とする特定音域の音波に良好に共鳴させることができる。
すなわち、重低音域に対応するダクト体を選択して装着した場合には、重低音域の音波に対しダクト体が良好に共鳴し、これによって重低音域の音を増強することが可能となる。
また、中音域に近い低音域に対応するダクト体を選択して装着した場合には、中音域に近い低音域の音波に対しダクト体が良好に共鳴し、これによって中音域に近い低音域の音を増強することが可能となる。
例えば、図柄表示装置を備えた遊技盤が着脱交換可能に装着されたパチンコ機（アレンジボール機、雀球機を含む）等の遊技機において、冒険、アクションをモチーフとして図柄演出する図柄表示装置を備えた遊技盤が装着された場合には、衝突音、爆発音等の音を重低音で演出して臨場感を高めることが望ましい。この場合には、重低音域に対応するダクト体を選択して装着する。
また、重低音域の音を必要としないユーモラスなキャラクタをモチーフとして図柄演出する図柄表示装置を備えた遊技盤が装着された場合には、中音域に近い低音域に対応するダクト体を選択して装着する。
すなわち、モチーフが異なる遊技盤にそれぞれ対応して特性が異なる複数のダクト体を準備することによって、遊技盤が着脱交換される度毎に、その遊技盤に対応する所望とする特性を有するダクト体を選択してスピーカボックスのダクト装着部に装着することによって、迅速に対処することができるとともに、音による遊技演出を効果的に高めることができる。
言い換えると、従来では、モチーフが異なる遊技盤にそれぞれ対応して音による遊技演出を効果的に行うためには、スピーカボックス全体を取り換える必要が生じ、多くの手間や交換費用が必要となるが、このような手間やコストを大幅に低減することができる。
【０００９】
請求項３の発明に係る遊技機は、
「請求項１又は２に記載の遊技機であって、
スピーカボックスの周壁の一壁面と、ダクト体との相互には、同ダクト体を一方向にスライドさせることによって係合しかつ前記スピーカボックスの周壁の一壁面に前記ダクト体を着脱交換可能に装着するスライド凹部とスライド凸部とが形成され、
前記スピーカボックスの周壁の一壁面に形成されたスライド凹部又はスライド凸部を、ダクト装着部としていることを特徴とする遊技機。」
を要旨とするものである。
【００１０】
前記構成において、スピーカボックスの周壁の一壁面にダクト体を装着する場合、スピーカボックスの周壁の一壁面のダクト装着部をなすスライド凹部又はスライド凸部に対し、ダクト体のスライド凸部又はスライド凹部を一方向にスライドさせることによって、これらスライド凹部とスライド凸部とが係合する。これによってスピーカボックスの周壁の一壁面にダクト体を容易にかつ手早く装着することができる。
【００１１】
請求項４の発明に係る遊技機は、
「請求項１〜３のいずれか一項に記載の遊技機であって、
スピーカボックスは、遊技盤が着脱可能に装着される遊技盤装着体を一体に備えた本体枠を合成樹脂材によって一体成形すると同時に、同本体枠と一体に形成されることを特徴とする遊技機。」
を要旨とするものである。
【００１２】
前記構成において、遊技盤装着体を一体に備えた本体枠を合成樹脂材によって一体成形すると同時に、スピーカボックスを一体に形成することができ、本体枠に対しスピーカボックスを別個に形成して組み付ける手間を省くことができる。
しかも、スピーカボックスが本体枠と一体に形成されるため、そのスピーカボックスの前側にスピーカを安定よくかつ強固に装着することができるとともに、ビビリ音等の異音の発生や音響室内の音波が漏れ出ることを防止することができ、音響効果を良好に高めることができる。
【００１３】
請求項５の発明に係る遊技機は、
「請求項１〜３のいずれか一項に記載の遊技機であって、
スピーカボックスは、遊技盤が着脱可能に装着される遊技盤装着体と、球払出装置が装着される機構装着体と、を一体に備えた本体枠を合成樹脂材によって一体成形すると同時に、同本体枠と一体に形成されることを特徴とする遊技機。」
を要旨とするものである。
【００１４】
前記構成において、本体枠に対しスピーカボックスを別個に形成して組み付ける手間を省くことができる。
しかも、スピーカボックスが本体枠と一体に形成されるため、そのスピーカボックスの前側にスピーカを安定よくかつ強固に装着することができるとともに、ビビリ音等の異音の発生や音響室内の音波が漏れ出ることを防止することができ、音響効果を良好に高めることができる。
特に、合成樹脂材によって一体成形された本体枠は、遊技盤装着体と、機構装着体と、を一体に備え、大型で剛性が高くかつ前後方向の奥行き寸法も大きくなる。そして、本体枠の成形と同時に、前方に開口する箱形状のスピーカボックスを一体に形成することによって、奥行き寸法が大きいスピーカボックスを良好に得ることができるとともに、スピーカボックスの開口部にスピーカを安定よく装着することができる。
しかも、前記したように奥行き寸法が大きいスピーカボックスの周壁の一壁面に沿って長尺なダクト体を装着することが可能となり、これによって奥行き寸法が大きい空気通路を容易に構成することが可能となる。
【００１５】
請求項６の発明に係る遊技機は、
「請求項１〜５のいずれか一項に記載の遊技機であって、
ダクト体はスピーカボックスの周壁の内壁面に装着され、
前記スピーカボックスの周壁の内壁面には、前記ダクト体の空気通路を外側に屈曲させて前方に開口させる凹条部が形成されていることを特徴とする遊技機。」
を要旨とするものである。
【００１６】
前記構成において、ダクト体と、スピーカボックスの内壁面の凹条部によって外側に屈曲して開口する空気通路を容易に構成することができるとともに、凹条部の横断面積に相当する分だけ空気通路の横断面積を大きくして音の放出性を高めることができる。
【００１７】
請求項７の発明に係る遊技機は、
「請求項１〜６のいずれか一項に記載の遊技機であって、
ダクト体は横断面略半筒状に形成され、
スピーカボックスの周壁の一壁面に前記ダクト体が装着された状態において、前記スピーカボックスの周壁の一壁面と前記ダクト体との協働によって空気通路が構成されることを特徴とする遊技機。」
を要旨とするものである。
【００１８】
前記構成において、スピーカボックスの周壁の一壁面とダクト体との協働によって空気通路を構成することによって、所要とする横断面積を有する空気通路を小形のダクト体によって構成することが可能となり、ダクト体を小型化した分だけ配置スペースの確保が容易となる。
例えば、スピーカボックスの周壁の内壁面にダクト体が装着される場合には、ダクト体によって音響室が狭められるのを、小型化した分だけ軽減することができる。
また、スピーカボックスの周壁の外壁面にダクト体が装着される場合には、スピーカボックスの外壁面に対するダクト体の突出量を小型化した分だけ軽減することができ、そのダクト体の側方に他の部材を配置するスペースを確保することが可能となる。
【発明の効果】
【００１９】
この発明によれば、空気通路の横断面積及び長さが多様に異なるダクト体をスピーカボックスのダクト装着部に着脱交換可能に装着してそのダクト体の共鳴試験を容易に行うことができるため、ダクト体を一体に備えたスピーカボックスを数多く製作して試験する場合と比べ、そのコストを大幅に低減することができる。
そして、スピーカボックスのダクト装着部に装着されるダクト体によって特定音域の音を良好に増強させることができ、音による遊技演出を向上させることができる。
【発明を実施するための最良の形態】
【００２０】
次に、この発明を実施するための最良の形態を実施例にしたがって説明する。
【実施例１】
【００２１】
図１は遊技機の外枠の一側に本体枠が開かれその本体枠の一側にガラス扉が開かれた状態を示す斜視図である。図２は遊技機の前側全体を示す正面図である。図３は遊技機の後側全体を示す背面図である。図４は遊技機の本体枠と遊技盤とを分離して斜め右上前方から示す斜視図である。図５は遊技機の本体枠を斜め左上前方から示す斜視図である。図６は本体枠のスピーカボックス、ダクト体及びスピーカの関係を分離して示す斜視図である。図７はスピーカ装着板、スピーカ及び防振パッキンを分離して示す斜視図である。図８はスピーカボックスにスピーカが装着された状態を示す側断面図である。図９はスピーカボックスの側壁にダクト体が装着された状態を示す側断面図である。図１０は図９のＸ−Ｘ線に基づく平断面図である。なお、説明の便宜上、遊技機において遊技者側を前、反対側を後として説明する。
【００２２】
［遊技機の概要について］
図１〜図３に示すように、遊技機としてのパチンコ機は、外枠１０、本体枠３０、遊技盤４０、ガラス扉１３０等を備えて構成されている。
外枠１０は、上下左右の枠材によって縦長四角形の枠状に形成され、その外枠１０の前面の片側には、本体枠開閉用ヒンジ機構２０によって本体枠３０が前方に開閉可能に装着されている。
【００２３】
［本体枠について］
本体枠３０は、合成樹脂材によって一体に形成されるとともに、図４に示すように、その前側に遊技盤装着体３１が後側に機構装着体１６０がそれぞれ形成されている。これによって、本体枠３０は、従来の前枠（内枠、前面枠等と呼ばれることがある）と、機構板（裏機構板、裏セット板等と呼ばれることがある）との機能を兼ね備えている。
また、本体枠３０には、そのヒンジ機構と反対側の自由端側の後側において、外枠１０に設けられた係止具に係脱可能に係合して本体枠３０を閉じ状態に施錠する本体枠施錠フック１４５が配設されている。
【００２４】
図４と図５に示すように、本体枠３０の前側の遊技盤装着体３１は、遊技盤４０が前側から着脱交換可能に嵌込まれる遊技盤装着枠３３を有し、その遊技盤装着枠３３の後側（奥側）の枠部内周には遊技盤４０の後側の周縁部を受け止める後面受け部３４が形成されている。
また、遊技盤装着枠３３の一側内壁面の上下部２箇所には、後面受け部３４との間に遊技盤４０の一側部が差し込み可能な間隔を隔てて前面押え部３５が形成されている。
また、図５に示すように、遊技盤装着枠３３の他側内壁面の上下部２箇所には、遊技盤４０のロック部材５０に対応する係止溝３６が形成されている。
また、遊技盤装着枠３３の他側部近傍には、本体枠３０側と遊技盤４０側とを電気的に接続するための本体側コネクタ３７が設置されている。
また、遊技盤装着枠３３の下側部には、遊技盤４０の前面下部を遊技盤装着枠３３の後面受け部３４に押さえ付けて緊締するターンバックル形式の緊締具５５が装着されている。
【００２５】
［遊技盤について］
図１と図４に示すように、遊技盤４０は、遊技盤装着体３１の遊技盤装着枠３３に嵌込まれる大きさの略四角板状に形成されている。遊技盤４０の盤面（前面）には、外レール４２と内レール４３とを備えた案内レール４１が設けられ、その案内レール４１の内側に遊技領域４４が区画形成されている。
遊技盤４０には、その遊技領域４４内において、遊技に関する役物装置、例えば、センタ役物と呼ばれる役物装置４６、図柄表示装置４８、入賞装置等の役物装置や風車器、誘導釘、ランプ装飾部材等の各種の装備品が配設されている。これら各種の装備品のうち、所定の装備品の後部、この実施例１では、役物装置４６の役物本体４７の後部４７ａが遊技盤４０の後側に突出して配設される（図３参照）。
また、図４に示すように、遊技盤４０の前面には、その案内レール４１の外側領域において、合成樹脂製の前構成部材４０ａが装着されている。
【００２６】
この実施例１において、役物装置４６の役物本体４７には、略中央部に開口窓が形成され、図柄表示装置（例えば、液晶パネル）４８の表示面４９は役物本体４７の後側においてその開口窓に臨んで装着されている。
そして、役物本体４７は、遊技盤４０の中央部に貫設された組付孔に嵌込まれ、同役物本体４７の後部４７ａ及び図柄表示装置４８の図柄制御基板ボックス４８ａは遊技盤４０の後側に突出して配設されている（図３参照）。
【００２７】
また、図４と図５に示すように、遊技盤４０前面の前構成部材４０ａの他側寄りの上下２箇所には、遊技盤装着枠３３の係止溝３６に対応する位置においてロック部材５０が軸と左右方向の長孔によって回動操作可能に装着されている。
そして、遊技盤４０（前構成部材４０ａを含む）は、その左右の一側部が遊技盤装着枠３３の後面受け部３４と前面押え部３５との間に差し込まれ、ロック部材５０の先端のロック部５１が遊技盤装着枠３３の係止溝３６に差し込まれて係合されることで本体枠３０の遊技盤装着体３１に装着されるようになっている（図１参照）。
【００２８】
また、この実施例１において、遊技盤４０の後側には、その中央部から下部にわたる部分において、各種入賞装置に流入した球を受けかつその球を所定位置まで導く集合樋としての機能とボックス装着部としての機能を兼ね備えた後カバー体６０が設けられている。この後カバー体６０には、音声制御基板（スピーカ制御基板）、ランプ制御基板等の副制御基板が収納された副制御基板ボックス６５と、主制御基板が収納された主制御基板ボックス６１とが前後に重ね合わされた状態で装着されている（図３参照）。
さらに、遊技盤４０の後側に対し後カバー体６０、副制御基板ボックス６５及び主制御基板ボックス６１がそれぞれ装着された状態において、本体枠３０の遊技盤装着体３１の前側からその遊技盤装着枠３３内に遊技盤４０を嵌込んで装着できるように、遊技盤４０の外郭から外側にはみ出すことなく、後カバー体６０、副制御基板ボックス６５及び主制御基板ボックス６１が配置されている。
【００２９】
また、この実施例１において、遊技盤４０の後側の他側寄り下部には、本体枠３０の遊技盤装着体３１の前側からその遊技盤装着枠３３内に遊技盤４０を嵌込む動作によって、本体側コネクタ３７に挿脱可能に差し込まれる遊技盤側コネクタ４５が設置されている（図４及び図５参照）。
【００３０】
［本体枠のスピーカボックス構造について］
図４〜図６に示すように、合成樹脂製の本体枠３０には、遊技盤装着体（遊技盤装着枠３３）３１の開口部の下方において、前方に開口する箱形状のスピーカボックス７０が一体に形成されている。
この実施例１において、図６及び図８〜図１２に示すように、本体枠３０前面の遊技盤装着体３１よりも下方に位置する下部領域の一側（後述する操作ハンドル１１５が配設される側と反対側）にスピーカボックス７０が一体に形成されている。
すなわち、スピーカボックス７０は、上壁７２、下壁７３、左右の両側壁７４及び後壁７５を一体に備えている。そして、スピーカボックス７０の前側には、その空間部の開口部を塞ぐようにしてスピーカ装着板９０を介してコーン型のスピーカ９４が装着されている。これによって、スピーカ９４のコーン（すなわち、振動板）９９の後側と後壁７５との間の空間部を音響室７１としている。
特に、スピーカ９４の作動時に音響室７１内に発生する音波によってスピーカ９４のコーン（すなわち、振動板）９９の動きが阻害されることを抑制するために、スピーカボックス７０は、その後壁７５が遊技盤装着体３１の後側を越える奥行き寸法をもって大きく形成されている。
これによって、スピーカボックス７０の奥行き寸法が、スピーカ９４に対し充分に適応し得るだけの大きさに確保されるようになっている。この実施例１において、スピーカボックス７０は、その後壁７５が本体枠３０の後側の機構装着体１６０の後面と略同一面をなす位置まで大きく形成されている。
【００３１】
また、図６及び図８〜図１２に示すように、スピーカボックス７０の空間部（音響室７１）の上壁７２、下壁７３、左右の両側壁７４の各内壁は複数段の段差状にそれぞれ形成され、これによってスピーカボックス７０は、開口側が広く、奥側が狭い段差形状に形成されている。さらに、後壁７５においても、上半部が浅く下半部が深い段差状に形成されている。
また、図８〜図１０に示すように、スピーカボックス７０の周壁をなす上壁７２、下壁７３、左右の両側壁７４の各内壁面は、開口側が広く奥側が狭くなるように傾斜する傾斜面７２ｂ、７３ｂ、７４ｂ（又はテーパ面）に形成されている。
【００３２】
スピーカボックス７０の音響室７１の一側部には、一端部が音響室７１の奥側寄りに連通し他端が本体枠３０の前側に開口する開口部８５を有する前後方向に長尺な空気通路（音響通路）８０が設けられている。
この実施例１において、図６と図１０に示すように、スピーカボックス７０の音響室７１の一方の側壁７４ａの内壁面にダクト装着部３００が形成されている。
【００３３】
また、スピーカボックス７０の音響室７１の側壁７４とダクト体８１とのうち、少なくとも一方に空気通路８０に対応する凹条部７６（又は８２）が形成されている。
この実施例１においては、図６と図１０に示すように、スピーカボックス７０の音響室７１の一方の側壁７４ａと、ダクト体８１との相互に空気通路８０に対応する凹条部７６、８２がそれぞれ形成されている。
そして、スピーカボックス７０の凹条部７６によって、ダクト体８１側の空気通路８０を外側に屈曲させて前方に開口させるようになっている。
すなわち、音響室７１の一方の側壁７４ａの略中間高さ位置には、同側壁７４の奥側寄り部分から前端にわたって前後方向に長尺な凹条部７６が形成されている。
また、スピーカボックス７０の一方の側壁７４ａの内壁面のダクト装着部３００には、その凹条部７６の側方開口部の上下部に沿ってダクト体８１に対応するスライド凹部としてのスライド溝７８を有するレール片７９がそれぞれ一体に形成されている。また、音響室７１の一方の側壁７４ａの奥側部においてもスライド凹部としてのスライド溝７８ａを有するレール片７９ａが一体に形成されている。
【００３４】
［スピーカボックスのダクト体について］
図６、図９及び図１０に示すように、ダクト体８１は、スピーカボックス７０と別体に形成され、スピーカボックス７０のダクト装着部３００に着脱交換可能に装着されるようになっている。
また、この実施例１において、ダクト体８１は、合成樹脂材によって前後方向に長尺に形成されるとともに、前端が湾曲壁（円弧壁）によって閉じられ後端が開口する横断面略半筒状に形成されている。そして、ダクト体８１の半筒部内に空気通路８０に対応する凹条部８２が形成されている。
また、ダクト体８１には、その前部から前方に所定長さだけ延出された平板状の前側支持片８３が一体に形成され、その前側支持片８３の上下縁の部分をスライド溝７８に対応するスライド片（この発明のスライド凸部に相当する）８３ａとしている。
さらに、ダクト体８１の後端には略コの字状をなす後側支持片８４が一体に形成されて、その後側支持片８４の上縁の部分をスライド溝７８ａに対応するスライド片８４ａとしている。
【００３５】
そして、スピーカボックス７０の前側からその一方の側壁７４ａのスライド溝７８、７８ａにダクト体８１のスライド片８３ａ、８４ａが差し込まれた状態で同ダクト体８１が一方の側壁７４ａの段差部又は後壁７５に当接する所定位置までスライドされることで、一方の側壁７４ａにダクト体８１が位置決めされて装着されるようになっている。
また、一方の側壁７４ａにダクト体８１が装着された状態において、一方の側壁７４ａの凹条部７６の前部側方がダクト体８１の前側支持片８３によって塞がれこれによって前方に開口する空気通路８０の開口部８５が構成されるようになっている。
【００３６】
特に、ダクト体８１は、特定音域の音波に良好に共鳴するように、その空気通路８０の内寸（横断面積、長さ）、材質、肉厚等が設定されている。
すなわち、硬度が異なる合成樹脂材、合成樹脂材以外の金属材、セラミック材等の材質が異なる各種の材料によって形成されるとともに、形状、長さ、横断面積、肉厚等が多様に異なる多数の試作ダクトを製作し、これら多数の試作ダクトを、製品化された一つの本体枠３０と一体成形されたスピーカボックス７０のダクト装着部３００に着脱交換可能に装着した状態で共鳴試験が繰り返し行われる。
前記共鳴試験の結果、特定音域の音波に良好に共鳴する試作ダクトが選ばれて、その試作ダクトに基づいてダクト体８１が形成（量産）される。そして、ダクト体８１は、前記本体枠３０に一体成形されたスピーカボックス７０のダクト装着部３００に着脱交換可能に装着されるようになっている。
【００３７】
また、特定音域としては、主に重低音であるが、重低音域の他に、中音域に近い低音域、その中間の低音域がある。このため、これら各低音域に対応する特性を有する複数のダクト体８１、８１Ａ・・・においても、前記したようにして各ダクト体８１、８１Ａ・・・に対応して、各多数の試作ダクトをそれぞれ製作し、これら多数の試作ダクトを、製品化された一つの本体枠３０と一体成形されたスピーカボックス７０のダクト装着部３００に着脱交換可能に装着した状態で共鳴試験が繰り返し行われる。
前記共鳴試験の結果、重低音域、中音域に近い低音域、その中間の低音域の音波に良好に共鳴する試作ダクトがそれぞれ選ばれる。そして、各試作ダクトに基づいてダクト体８１、８１Ａ・・・が形成（量産）される。
このようにして、特性の異なる複数のダクト体８１、８１Ａ・・・が形成（量産）され、準備される。
そして、これら複数のダクト体８１、８１Ａ・・・のうち、所望とする特性を有するダクト体、例えば、ダクト体８１が選択され、その選択されたダクト体８１が、製品化された一つの本体枠３０と一体成形されたスピーカボックス７０のダクト装着部３００に着脱交換可能に装着されるようになっている。
図１３は、空気通路８０の横断面積が小さく重低音域に対応する特性を有するダクト体８１が、一つの本体枠３０と一体成形されたスピーカボックス７０のダクト装着部３００に着脱交換可能に装着された状態を示す断面図である。
図１４は、空気通路８０Ａの横断面積が大きく中音域に近い低音域に対応する特性を有するダクト体８１Ａが、一つの本体枠３０と一体成形されたスピーカボックス７０のダクト装着部３００に着脱交換可能に装着された状態を示す断面図である。
【００３８】
また、この実施例１において、図６と図９に示すように、スピーカボックス７０の周壁、すなわち、上壁７２、下壁７３、左右の両側壁７４の各前縁部は略四角環状をなして本体枠３０前面から若干突出され当該突出部を環状突出部７０ａとしている。
さらに、スピーカボックス７０前縁の環状突出部７０ａの四隅部近傍の複数箇所には、スピーカ９４をスピーカ装着板９０を介しかつビスによって装着するためのボス部７０ｂがそれぞれ形成されている。
【００３９】
［スピーカボックスのスピーカ構造について］
図６と図７に示すように、スピーカ（スピーカ装置）９４は、その主体部をなす磁石９８及びコーン（振動板）９９がスピーカフレーム９５に支持されて構成されたいわゆるコーン型スピーカが用いられている。そして、スピーカ９４は、そのスピーカフレーム９５の前縁部に形成されたフランジ部９６においてスピーカ装着板９０に装着されている。
スピーカボックス７０の音響室７１の開口部を塞いで装着されるスピーカ装着板９０は、合成樹脂材によってスピーカボックス７０前縁の環状突出部７０ａよりも若干大きい略四角形状に形成されている。
また、スピーカ装着板９０の前面には、スピーカフレーム９５のフランジ部９６が位置決めされて嵌込まれる凹部９１が形成されている。この凹部９１の底部には、スピーカフレーム９５のフランジ部９６に貫設された取付孔を通してねじ込まれるビスに対応するボス部９１ａが一体に形成されている。
さらに、凹部９１の底部中央部には、スピーカ９４の主体部をなす磁石９８及びコーン９９が後方に突出される開口孔が形成されている。
【００４０】
すなわち、スピーカ装着板９０には、その凹部９１の前側から同凹部９１の開口孔を通してスピーカ９４の主体部をなす磁石９８及びコーン９９が挿通されるとともに、スピーカフレーム９５のフランジ部９６が凹部９１に嵌込まれる。この状態でビスがスピーカフレーム９５のフランジ部９６の取付孔を通して凹部９１の底部のボス部９１ａにねじ込まれることでスピーカ装着板９０にスピーカ９４が位置決めされた状態で装着されるようになっている。
【００４１】
また、スピーカ装着板９０の周縁部には、スピーカボックス７０前縁のボス部７０ｂに対応する取付孔をそれぞれ有する取付部９０ａが外側に向けて一体に形成されている。
さらに、スピーカ装着板９０の周縁及びその各取付部９０ａの周縁に沿って背面側に向けて略直角をなしかつスピーカボックス７０の環状突出部７０ａ及びボス部７０ｂの外側面を覆い被すようにして折返縁９０ｂが環状に形成されている。
また、スピーカ装着板９０の背面側には、その折返縁９０ｂと凹部９１の外側部との間に嵌込まれかつスピーカボックス７０前縁の環状突出部７０ａに対応する防振部材としての略四角環状の防振パッキン９３が装着されている。
【００４２】
すなわち、図８と図９に示すように、スピーカ装着板９０は、その折返縁９０ｂにおいてスピーカボックス７０の環状突出部７０ａ及びボス部７０ｂの外側面を覆い被すようにして嵌込まれる。これによって、スピーカボックス７０の各ボス部７０ｂとスピーカ装着板９０の各取付部９０ａの取付孔とが同一中心線状に位置合わせされる。そして、この状態でビスがスピーカ装着板９０の各取付部９０ａの取付孔を通してボス部７０ｂにねじ込まれることでスピーカボックス７０にスピーカ装着板９０を介してスピーカ９４が装着されるようになっている。
さらに、スピーカボックス７０にスピーカ装着板９０を介してスピーカ９４が装着された状態において、シリコーンゴム等の弾性体よりなる防振パッキン９３がスピーカボックス７０の環状突出部７０ａとスピーカ装着板９０との間に挟まれかつ僅かではあるが弾性的に圧縮される。そして、スピーカ９４の作動時の振動が防振パッキン９３によって吸収され、ひいては本体枠３０に伝達されることが軽減されるようになっている。
【００４３】
［本体枠の前側の下部領域について］
また、図４と図５に示すように、本体枠３０の前面の下部領域のスピーカ９４と反対側寄りの上部には、遊技盤４０の発射通路に向けて球を導く発射レール６８が傾斜状に装着されている。
また、本体枠３０の前面の下部領域の前側には、その下部領域略下半部を覆うようにして下部前面板１１０が装着されている。この下部前面板１１０の前面の略中央部には、下皿１１１が設けられ、片側寄りには操作ハンドル１１５が設けられている。
図４と図８に示すように、本体枠３０の前面の下部領域の前側に下部前面板１１０が装着されることによって、スピーカ９４の略下半部前方が下部前面板１１０によって覆い隠される。
言い換えると、下部前面板１１０によってスピーカ９４の略下半部前方が覆い隠される程の大型のスピーカ９４が本体枠３０の前面の下部領域に配設される。
そして、図８〜図１０に示すように、下部前面板１１０には、スピーカ９４及び空気通路８０の開口部８５に対応する位置において開口部が形成され、その開口部には複数のスリット状の音響用貫通孔を有する塞ぎ板１１０ａが装着されている。
【００４４】
［ガラス扉について］
図１と図２に示すように、本体枠３０の前面の片側には、同本体枠３０の上端から下部前面板１１０にわたる部分を覆うようにしてガラス扉１３０が扉開閉用ヒンジ機構１２０によって前方に開閉可能に装着されている。ガラス扉１３０のヒンジ機構と反対側に自由端側の後側には、本体枠３０に設けられた扉施錠フック１４１に係脱可能に係合してガラス扉１３０を閉じ状態に施錠する係止部（図示しない）が設けられている。
また、ガラス扉１３０には、遊技盤４０の遊技領域４４を前方から透視可能な開口窓を構成する窓枠１３２が設けられ、その窓枠１３２にはガラス板、透明樹脂板等の透明板１３３が装着されている。
また、ガラス扉１３０の前面の開口窓を除く略全体は、ランプ等が内設された前面装飾部材によって装飾され、同ガラス扉１３０の前面の下部には上皿１３６が形成されている（図２参照）。
また、ガラス扉１３０には、スピーカ９４の前方に対向する位置において、複数のスリット状の音響用貫通孔１３７が形成されている。
【００４５】
［本体枠後側の機構装着体について］
一方、図３に示すように、本体枠３０の後側の機構装着体１６０の上部には多数の球を貯留可能な容積をもつ球タンク１６５とタンクレール１７５とが連通状に装着されている。また、本体枠３０の機構装着体１６０の片側（図３に向かって右側）寄りの上下方向には縦長状にユニット化された球払出装置２１０が装着されている。
また、この実施例１において、図３に示すように、本体枠３０の後側の機構装着体１６０の下部領域の片側（図３に向かって左側）には、発射レール１００の下傾端部の発射位置に送られた球を発射するための発射ハンマー２３３、その発射ハンマー２３３を作動する発射モータ２３２等を有する発射装置ユニット２３０が装着されている。また、機構装着体１６０の下部領域の中央部には、電源基板を有する電源基板ボックス２４０、枠制御基板を有する枠制御基板ボックス２３４等が装着されている。
【００４６】
［実施例１の作用・効果について］
この実施例１に係る遊技機は上述したように構成される。
したがって、遊技の際、例えば、図柄表示装置４８の表示面４９に表示される図柄が変動表示されるとき、リーチ状態となったとき、大当たりとなったとき等において、副制御基板ボックス６５の副制御基板に構成された音声制御回路から伝達される信号に基づいてスピーカ９４が作動される。すると、スピーカ９４の作動による音が遊技機前方に出される。また、スピーカ９４の作動による音がスピーカボックス７０の音響室７１及び空気通路８０を経て、その開口部８５から前方に出される。
【００４７】
さて、この実施例１に係る遊技機において、ダクト体８１は、スピーカボックス７０と別体に形成されるとともに、ダクト装着部３００に着脱交換可能に装着される構成にしてある。
そして、ダクト体８１は、次に説明するようにして形成され、ダクト装着部３００に着脱交換可能に装着される。
すなわち、空気通路８０の内寸（横断面積、長さ）、材質（例えば、硬度が異なる合成樹脂材、合成樹脂材以外の金属材、セラミック材材等の材質）、肉厚等が多様に異なる多数の試作ダクト体を試作し、これら多数の試作ダクト体を製品化された一つのスピーカボックス７０（この実施例１においては、本体枠３０に一体成形されたスピーカボックス７０）のダクト装着部３００に着脱交換可能に装着して共鳴試験を行う。
これによって、特定音域の音波に良好に共鳴するダクト体が設定され、これに基づいてダクト体８１が製作される。そして、製品化された一つのスピーカボックス７０（本体枠３０のスピーカボックス７０）のダクト装着部３００にダクト体８１が着脱交換可能に装着される。
前記したようにして、所望とする特性を有するダクト体８１を容易に得ることがができるため、ダクト体を一体に備えたスピーカボックスを数多く製作して試験を繰り返す場合と比べ、コストを大幅に低減することができる。
そして、スピーカボックス７０のダクト装着部３００に装着されるダクト体８１によって、特定音域の音を良好に増強させることができ、音による遊技演出を向上させることができる。
【００４８】
また、この実施例１においては、特性の異なる複数のダクト体８１、８１Ａ・・・が形成され、準備される。
そして、これら複数のダクト体８１、８１Ａ・・・のうち、所望とする特性を有するダクト体が選択され、その選択されたダクト体が、製品化された一つのスピーカボックス７０（本体枠３０と一体成形されたスピーカボックス７０）のダクト装着部３００に着脱交換可能に装着されるようになっている。
図１３に示すように、重低音域に対応する特性を有するダクト体８１を選択して装着した場合には、重低音域の音波に対しダクト体８１が良好に共鳴し、これによって重低音域の音を増強することが可能となる。
また、図１４に示すように、中音域に近い低音域に対応する特性を有するダクト体８１Ａを選択して装着した場合には、中音域に近い低音域の音波に対しダクト体８１Ａが良好に共鳴し、これによって中音域に近い低音域の音を増強することが可能となる。
【００４９】
例えば、図柄表示装置４８を備えた遊技盤４０が着脱交換可能に装着された遊技機において、冒険、アクションをモチーフとして図柄演出する図柄表示装置４８を備えた遊技盤４０が装着された場合には、衝突音、爆発音等の音を重低音で演出して臨場感を高めることが望ましい。この場合には、重低音域に対応するダクト体８１を選択して装着する。
また、重低音域の音を必要としないユーモラスなキャラクタをモチーフとして図柄演出する図柄表示装置４８を備えた遊技盤４０が装着された場合には、中音域に近い低音域に対応するダクト体８１を選択して装着する。
すなわち、モチーフが異なる遊技盤４０にそれぞれ対応して特性が異なる複数のダクト体８１を準備することによって、遊技盤４０が着脱交換される度毎に、その遊技盤４０に対応する所望とする特性を有するダクト体８１を選択してスピーカボックス７０のダクト装着部３００に装着することによって、迅速に対処することができるとともに、音による遊技演出を効果的に行うことができる。
言い換えると、従来では、モチーフが異なる遊技盤にそれぞれ対応して音による遊技演出を効果的に行うためには、スピーカボックス７０全体を取り換える必要が生じ、多くの手間や交換費用が必要となるが、このような手間やコストを大幅に低減することができる。
【００５０】
また、この実施例１において、スピーカボックス７０のダクト装着部３００にダクト体８１を着脱交換可能に装着する場合、スピーカボックス７０の前側からその一方の側壁７４ａのスライド溝７８、７８ａにダクト体８１のスライド片８３ａ、８４ａが差し込まれた状態で同ダクト体８１が一方の側壁７４ａの段差部又は後壁７５に当接する所定位置までスライドされることで、一方の側壁７４ａにダクト体８１が位置決めされて装着される。
このようにして、スピーカボックス７０にダクト体８１を容易にかつ手早く装着することができる。
【００５１】
また、この実施例１において、スピーカボックス７０は、遊技盤４０が着脱可能に装着される遊技盤装着体３１と、球払出装置２１０が装着される機構装着体１６０と、を一体に備えた本体枠３０を合成樹脂材によって一体成形すると同時に、同本体枠３０と一体に形成される。このため、本体枠３０に対しスピーカボックス７０を別個に形成して組み付ける手間を省くことができる。
また、この実施例１において、スピーカボックス７０は、その後壁７５が遊技盤装着体３１の後側を越える奥行き寸法をもって大きく形成される。このため、スピーカ９４の作動時に音響室７１内に発生する音波によってスピーカ９４のコーン（振動板）９９の動きが阻害されることを良好に抑制することができる。
言い換えると、スピーカ９４の作動時に音響室７１に発生する音波によってスピーカ９４のコーン（振動板）９９の動きが阻害されることを抑制することができる大きさにおいて、スピーカボックス７０の奥行き寸法を容易に設定することができる。
しかも、大型で剛性が高くかつ前後方向の奥行き寸法が大きい本体枠３０の成形と同時に、前方に開口する箱形状のスピーカボックス７０を一体に形成することによって、スピーカ９４を安定よくかつ強固に装着することができるとともに、ビビリ音等の異音の発生や音響室７１内の音波が漏れ出ることを防止することができ、音響効果を良好に高めることができる。
前記したように奥行き寸法が大きいスピーカボックス７０の一方の側壁７４ａの内壁面に沿って長尺なダクト体８１を装着することが可能となり、これによって奥行き寸法が大きい空気通路８０を容易に構成することが可能となる。
【００５２】
また、この実施例１において、ダクト体８１はスピーカボックス７０の一方の側壁７４ａの内壁面に装着され、スピーカボックス７０の一方の側壁７４ａの凹条部７６によって、空気通路８０を外側に屈曲させて前方に開口させるようになっている。このため、スピーカボックス７０の一方の側壁７４ａの凹条部７６の横断面積に相当する分だけ空気通路８０の横断面積を大きくして音の放出性を高めることができる。
【００５３】
また、この実施例１において、ダクト体８１は横断面略半筒状に形成され、スピーカボックス７０の一方の側壁７４ａ内壁面とダクト体８１との協働によって空気通路８０を構成することによって、所要とする横断面積を有する空気通路８０を横断面積の小さい小形のダクト体８１によって構成することが可能となるとともに、ダクト体８１を小型化した分だけ音響室７１が狭められることを軽減することができる。
【００５４】
また、この実施例１に係る遊技機において、大型で剛性が高くかつ前後方向の奥行き寸法が大きい本体枠３０の成形と同時に、前方に開口する箱形状のスピーカボックス７０を一体に形成することによって、スピーカ９４の作動時おいて、そのスピーカ９４のコーン（振動板）９９の振動によって本体枠３０が振動（共振）するのを抑えることができる。
これによって、例えば、スピーカ９４の作動時の振動が原因となって発射装置の発射レール１００や発射ハンマー２３３が不測に振動される不具合を防止することができる。この結果、発射ハンマー２３３によって発射レール１００の発射位置から発射される球（パチンコ球）の発射状態が不測に変化する発射不良を防止することができる。
また、本体枠３０の一側寄り部分に配置された発射装置とは反対側の他側寄り部分にスピーカボックス７０が形成されている。これによって、発射装置から遠い位置にスピーカボックス７０を形成することができるため、スピーカ９４の作動時の振動が発射装置に伝達されることを軽減することができる。
すなわち、スピーカ９４の作動時の振動伝達が原因となって、発射レール１００の発射位置から発射される球（パチンコ球）が不測に変化して発射される発射不良を良好に防止することができる。
【００５５】
また、図８〜図１０に示すように、スピーカボックス７０の内壁（上壁７２、下壁７３、左右の両側壁７４の各内壁面）は、開口側が広く、奥側が狭い段差形状に形成されている。このため、スピーカボックス７０の強度が良好に高められるとともに、スピーカ９４の作動時のスピーカボックス７０の振動を良好に抑えることができ、ひいては本体枠３０の振動防止に効果が大きい。
また、段差形状に形成されるスピーカボックス７０の内壁は、開口側が広く奥側が狭いため、例えば、合成樹脂材によって本体枠３０の成形（例えば、射出成形）と同時にスピーカボックス７０を形成した後、脱型する際、本体枠３０の脱型がスピーカボックス７０によって困難となる不具合を防止することができる。
また、スピーカボックス７０の内壁は、開口側が広く、奥側が狭くなるように傾斜する傾斜面又はテーパ面に形成されることで、本体枠３０の脱型をより一層容易に行うことができる。
【００５６】
また、この実施例１において、スピーカボックス７０にスピーカ９４を装着する場合には、まず、スピーカ装着板９０の凹部９１にスピーカフレーム９５のフランジ部９６を嵌込んでビスによって取り付ける。これによって、スピーカ装着板９０にスピーカ９４を位置決めした状態で容易に装着することができる。
次に、スピーカボックス７０の音響室７１の開口部周縁に形成された環状突出部７０ａ及びボス部７０ｂの外側面を覆い被すようにしてスピーカ装着板９０の周縁部の折返縁９０ｂを嵌込む。その後、スピーカ装着板９０の取付孔を通してビスをスピーカボックス７０のボス部７０ｂにねじ込むことによって、スピーカボックス７０の音響室７１の開口部を塞ぐようにしてスピーカ装着板９０を容易にかつ位置ずれすることなく装着することができる（図８〜図１０参照）。
前記したようにして、スピーカボックス７０にスピーカ装着板９０によってスピーカ９４を安定よく強固に装着することができるとともに、スピーカ９４の作動時の音響性能を向上させることができる。
【００５７】
また、スピーカ装着板９０の背面側には、その折返縁９０ｂと凹部９１の外側部との間に嵌込まれかつスピーカボックス７０前縁の環状突出部７０ａに対応するシリコーンゴム等の弾性体よりなる略四角環状の防振パッキン９３が装着されている。
そして、スピーカボックス７０の音響室７１の開口部に防振パッキン９３及びスピーカ装着板９０を介してスピーカ９４が装着される（図８〜図１０参照）。
このため、スピーカ９４の作動時の振動が防振パッキン９３によって吸収される。この結果、スピーカ９４の作動時の振動が本体枠３０に伝達されることを防止することができ、振動伝達による本体枠３０の振動（共振）を良好に抑えることができる。
【実施例２】
【００５８】
次に、この発明の実施例２を図１５〜図１７にしたがって説明する。
図１５はこの発明の実施例２に係るスピーカボックスのダクト装着構造を示すもので、小さい孔径のダクト体が着脱交換可能に装着された状態を示す説明図である。図１６は中間孔径のダクト体が着脱交換可能に装着された状態を示す説明図である。図１７は大きい孔径のダクト体が着脱交換可能に装着された状態を示す説明図である。
図１５〜図１７に示すように、本体枠３０と一体成形されたスピーカボックス２７０の周壁をなす一つの壁２７５の内壁面又は外壁面には、前記した実施例１と略同様にしてダクト装着部３００がスライド凹部２７８（又はスライド凸部２８３ａ）によって構成されている。
【００５９】
また、特性が異なる複数のダクト体２８１、２８１Ａ、２８１Ｂ・・・において、その外側面には、一方向のスライド動作によってダクト装着部３００に対し着脱交換可能に装着される前後方向に延びるスライド凸部２８３ａ（又はスライド凹部２７８）がそれぞれ形成されている。
この実施例２のその他の構成は、前記した実施例１と略同様にして構成されるため、その説明は省略する。
【００６０】
したがって、この実施例２においても、前記実施例１と略同様の作用効果を奏する。
すなわち、前記実施例１でも述べたように、製品化された一つのスピーカボックス２７０（本体枠３０のスピーカボックス７０）のダクト装着部３００に対し、ダクト体２８１（又は、２８１Ａ、２８１Ｂ・・・）が着脱交換可能に装着される。このため、ダクト装着部３００を共用して、そのダクト装着部３００に、多数の試作ダクト体を着脱交換可能に装着した状態で、その試作ダクト体の共鳴試験を容易に行うことができる。これによって、特定音域の音波に良好に共鳴するダクト体２８１（又は、２８１Ａ、２８１Ｂ・・・）を容易に得ることができる。
この結果、ダクト体を一体に備えたスピーカボックスを数多く製作して試験を繰り返す場合と比べ、コストを大幅に低減することができる。
そして、スピーカボックス７０のダクト装着部３００に装着されるダクト体２８１（又は、２８１Ａ、２８１Ｂ・・・）によって、特定音域の音を良好に増強させることができ、音による遊技演出を向上させることができる。
【００６１】
また、特定音域としては、主に重低音であるが、重低音域の他に、中音域に近い低音域、その中間の低音域があるため、実施例２においても、特性の異なる複数のダクト体２８１、２８１Ａ、２８１Ｂ・・・が形成され、準備される。
そして、これら複数のダクト体２８１、２８１Ａ、２８１Ｂ・・・のうち、所望とする特性を有するダクト体が選択され、その選択されたダクト体が、製品化された一つのスピーカボックス２７０（本体枠３０と一体成形されたスピーカボックス２７０）のダクト装着部３００に着脱交換可能に装着される。
図１５に示すように、ダクト装着部３００に対し、重低音域に対応しかつ小さい孔径（又は長尺）の空気通路２８０を有するダクト体２８１Ａが着脱交換可能に装着されることで、重低音域の音を良好に増強することができる。
また、図１７に示すように、ダクト装着部３００に対し、中音域に近い低音域に対応しかつ大きい孔径（又は短尺）の空気通路２８０Ｂを有するダクト体２８１Ｂが着脱交換可能に装着されることで、中音域に近い低音域の音を良好に増強することができる。
また、図１６に示すように、ダクト装着部３００に対し中間の低音域に対応しかつ中間孔径の空気通路２８０Ａを有するダクト体２８１Ｂが着脱交換可能に装着されることで、中間の低音域の音を良好に増強することができる。
なお、複数のダクト体２８１、２８１Ａ、２８１Ｂ・・・において、空気通路２８０、２８０Ａ、２８０Ｂ・・・の横断面形状は、適宜に設定すればよく、円形の他、楕円形、多角形等であってもよい。
【００６２】
［他の実施例について］
なお、この発明は前記実施例１及び２に限定するものではない。
例えば、前記実施例１及び２においては、スピーカボックス７０の周壁の一壁面に設けられるダクト装着部３００がスライド凹部又はスライド凸部によって構成される場合を例示したが、ダクト装着部は、多数の試作ダクト体や、音域が異なる複数の特定音域の音波を良好に増強することができる複数のダクト体を選択適に着脱交換可能に装着できる構造であればどのように構成されてもよい。
例えば、ダクト装着部は、ダクト体を着脱交換可能なビスに対応するボス部を備えて構成される場合においてもこの発明を実施することができる。
また、前記実施例１及び２においては、外枠１０の前面に開閉可能に装着された本体枠３０が、従来の前枠（内枠、前面枠等と呼ばれることがある）と、機構板（裏機構板、裏セット板等と呼ばれることがある）との機能を兼ね備えている場合を例示したがこれに限定するものではない。
すなわち、外枠１０の前面に遊技盤４０が装着される遊技盤装着体３１を有する前枠を開閉可能に装着し、その前枠の後側に球払出装置が装着される機構板を配設した形式の遊技機であってもこの発明を採用することができる。この場合、前枠が本体枠に相当する。
また、パチンコ機以外の遊技機、例えば、パチンコ球を用いてスロット遊技を行う遊技機、メダルを用いてスロット遊技を行うスロットマシンであってもこの発明を採用することができる。
【図面の簡単な説明】
【００６３】
【図１】この発明の実施例１に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機の後側全体を示す背面図である。
【図４】同じく遊技機の本体枠と遊技盤とを分離して斜め右上前方から示す斜視図である。
【図５】同じく遊技機の本体枠を斜め左上前方から示す斜視図である。
【図６】同じく本体枠のスピーカボックス、ダクト体及びスピーカの関係を分離して示す斜視図である。
【図７】同じくスピーカ装着板、スピーカ及び防振パッキンを分離して示す斜視図である。図図である。
【図８】同じくスピーカボックスにスピーカが装着された状態を示す側断面図である。
【図９】同じくスピーカボックスの側壁にダクト体が装着された状態を示す側断面図である。
【図１０】同じく図９のＸ−Ｘ線に基づく平断面図である。
【図１１】同じく本体枠を前側から示す斜視図である。
【図１２】同じく本体枠を後側から示す斜視図である。
【図１３】スピーカボックスのダクト装着部にダクト体が着脱交換可能に装着された状態を示す説明図である。
【図１４】同じく大きい孔径のダクト体が着脱交換可能に装着された状態を示す説明図である。
【図１５】この発明の実施例２に係るスピーカボックスのダクト装着構造を示すもので、小さい孔径のダクト体が着脱交換可能に装着された状態を示す説明図である。
【図１６】同じく中間孔径のダクト体が着脱交換可能に装着された状態を示す説明図である。
【図１７】同じく大きい孔径のダクト体が着脱交換可能に装着された状態を示す説明図である。
【符号の説明】
【００６４】
１０  外枠
３０  本体枠
３１  遊技盤装着部
３３  遊技盤装着枠
４０  遊技盤
７０  スピーカボックス
７１  音響室
７８  スライド溝（スライド凹部）
８０  空気通路
８１  ダクト体
８２  凹条部
８３ａ  スライド片（スライド凸部）
９３  防振パッキン（防振部材）
９４  スピーカ
【図１】
2005218853.tif 000003
【図２】
2005218853.tif 000004
【図３】
2005218853.tif 000005
【図４】
2005218853.tif 000006
【図５】
2005218853.tif 000007
【図６】
2005218853.tif 000008
【図７】
2005218853.tif 000009
【図８】
2005218853.tif 000010
【図９】
2005218853.tif 000011
【図１０】
2005218853.tif 000012
【図１１】
2005218853.tif 000013
【図１２】
2005218853.tif 000014
【図１３】
2005218853.tif 000015
【図１４】
2005218853.tif 000016
【図１５】
2005218853.tif 000017
【図１６】
2005218853.tif 000018
【図１７】
2005218853.tif 000019